(57)【特許請求の範囲】
【請求項１】
食物の調理のために調理プレート（３０）、コンロまたはそれに類するものの上に載置するようにされた調理容器（１）であって、１つまたは複数の非磁性材料で製作されたボウル部分（２）を備える調理容器（１）において、前記ボウル部分（２）が、温度に応じて変化するゼロでない残留磁気を有し、３５０℃超であるキュリー温度を有する、磁石（１０）を備えており、残留磁気の前記変化によって磁界の変化が引き起こされること、および前記磁石（１０）が、前記ボウル部分（２）の周縁に配設された少なくとも１つの磁界測定センサ（２２、２２ａ）であって、制御装置（２５）で使用される電気信号を発生させて前記ボウル部分（２）の温度を判定できるようにする磁界測定センサ（２２、２２ａ）と協働するようにされていることを特徴とする調理容器（１）。
【請求項２】
前記磁石（１０）がＡｌＮｉＣｏ系、ＳｍＣｏ系またはフェライト系の中から選択されることを特徴とする請求項１に記載の調理容器（１）。
【請求項３】
前記磁石のキュリー温度が６００℃超であることを特徴とする請求項１または２に記載の調理容器（１）。
【請求項４】
前記ボウル部分（２）が底（３）を有しており、前記磁石（１０）が前記底（３）の表面または内部に配設されていることを特徴とする請求項１乃至３のいずれか一項に記載の調理容器（１）。
【請求項５】
前記ボウル部分（２）が側壁（４）を有しており、前記磁石（１０）が前記側壁（４）の表面または内部に配設されていることを特徴とする請求項１乃至３のいずれか一項に記載の調理容器（１）。
【請求項６】
前記ボウル部分（２）が３００℃未満のキュリー温度を有する少なくとも１つの強磁性材料要素（６、８、９）を備えており、前記要素（６、８、９）が前記磁石（１０）の近傍に配設されていることを特徴とする請求項１乃至５のいずれか一項に記載の調理容器（１）。
【請求項７】
前記ボウル部分が、それぞれ異なるキュリー温度を有する２つの強磁性材料要素（８、９）を備えており、前記要素（８、９）が前記磁石（１０）の近傍に配設されていることを特徴とする請求項６に記載の調理容器（１）。
【請求項８】
前記強磁性材料要素（８、９）がそれぞれ２つの部分（８ａ、８ｂ、９ａ、９ｂ）を有しており、前記部分（８ａ、８ｂ、９ａ、９ｂ）が交互に積層されていることを特徴とする請求項７に記載の調理容器（１）。
【請求項９】
前記磁石（１０）が２つの磁界測定センサ（２２、２２ａ）と協働することを特徴とする請求項１乃至８のいずれか一項に記載の調理容器（１）。
【請求項１０】
６００℃超のキュリー温度を有する強磁性材料要素（４０）であって、前記磁石（１０）の近傍に配設された第１の端部（４１）と、前記センサ（２２、２２ａ）のうちの１つのセンサの下または前記２つのセンサ（２２、２２ａ）の間に配設された第２の端部（４２）とを有する強磁性材料要素（４０）を備えることを特徴とする請求項９に記載の調理容器（１）。
【請求項１１】
前記ボウル部分（２）に取り付けられたハンドル（２０）を備えており、前記磁界測定センサ（２２、２２ａ）が前記ハンドル（２０）内に配設されていることを特徴とする請求項１乃至１０のいずれか一項に記載の調理容器（１）。
【請求項１２】
前記ハンドル（２０）が前記ボウル部分に対して取外し自在であることを特徴とする請求項１１に記載の調理容器（１）。
【請求項１３】
前記ハンドル（２０）が長手方向軸（２８）と、前記磁石と協働する２つの磁界測定センサ（２２、２２ａ）とを備え、前記２つのセンサ（２２、２２ａ）が前記長手方向軸（２８）に沿って、または前記長手方向軸（２８）の両側に配設されていることを特徴とする請求項１１または１２に記載の調理容器（１）。
【請求項１４】
前記磁界測定センサ（２２、２２ａ）が、電磁シールドを実現することができる金属ケース（２７）の中に配設されていることを特徴とする請求項１乃至１３のいずれか一項に記載の調理容器（１）。
【請求項１５】
前記金属ケース（２７）が、厚さ２ミリメートル未満のアルミニウムまたは銅の薄板によって製作されていることを特徴とする請求項１４に記載の調理容器（１）。
【請求項１６】
フライパン、片手鍋、ソテーパン、深鍋または圧力鍋であることを特徴とする請求項１乃至１５のいずれか一項に記載の調理容器（１）。
【発明の詳細な説明】
【技術分野】
【０００１】
本発明は、センサを備える調理容器に関し、より詳細には温度センサを備える調理容器に関する。調理容器は、食物の調理のために調理プレート、コンロまたはそれに類するものの上に載置するようにされている。調理容器はとりわけ、フライパン、片手鍋、ソテーパン、深鍋または圧力鍋である。
【背景技術】
【０００２】
特許文献１により、底、およびその底にはめ込んだ穴あきプレートと底との間に内蔵させた温度センサを備える調理容器が知られている。温度センサは、測定された大きさを処理して温度を判定するためにハンドル内に設けられた制御装置と２本の導線によって接続されている。温度センサと２本の導線は、調理容器の底に設けられた挿入通路の中に収められている。
【０００３】
しかし、導線をボウル部分の中に敷設すること、ボウル部分にハンドルを取り付けること、そして制御装置に導線を接続することは、調理容器の自動化された生産工程の中では実施の難しい作業である。
【０００４】
さらに、導線は、取付けや異常な使用に際して、とりわけ調理容器が過熱した際に劣化し、温度測定エラーを引き起こすことが考えられる。
【０００５】
特許文献２により、食物の調理のために誘導加熱プレートの上に載置するようにされた調理容器であって、複数の非磁性材料で製作されたボウル部分を備える調理容器が知られている。ボウル部分は、５０°から３００℃までの範囲であることができるキュリー温度を有する強磁性材料要素を含んでいる。加熱プレートは、当要素がキュリー温度に達すると結合解除されて非磁性となるインダクタを備えている。
【０００６】
このような装置は、あらかじめ定めた温度で調理容器の加熱を止めることができるが、ボウル部分の温度を測定することはできない。
【先行技術文献】
【特許文献】
【０００７】
【特許文献１】欧州特許第０９３１４９５号明細書
【特許文献２】中国特許第１８８７１５０号明細書
【発明の概要】
【課題を解決するための手段】
【０００８】
本発明の目的は、上述の不都合を是正するとともに、単純かつ経済的に実施できる設計の温度センサを装備した調理容器を提案することにある。
【０００９】
本発明の別の目的は、信頼性および反復性、さらに経時的な耐久性のある動作を有する温度センサを装備した調理容器を提案することにある。
【００１０】
それらの目的は、食物の調理のために調理プレート、コンロまたはそれに類するものの上に載置するようにされた調理容器であって、１つまたは複数の非磁性材料で製作されたボウル部分を備える調理容器において、ボウル部分が、温度に応じて変化するゼロでない残留磁気を有し、３５０℃超であるキュリー温度を有する、磁石を備えており、残留磁気の前記変化によって磁界の変化が引き起こされること、および前記磁石が、ボウル部分の周縁に配設された少なくとも１つの磁界測定センサであって、制御装置で使用される電気信号を発生させてボウル部分の温度を判定できるようにする磁界測定センサと協働するようにされていることを特徴とする調理容器によって果たされる。
【００１１】
磁石を加熱すると、その残留磁気は低下するが、磁石のキュリー温度を超えない限り、それは回復可能である。そのため、最高使用温度が２５０℃程度で、時として３００℃の過熱があるという調理容器の場合、キュリー温度が３５０℃超である磁石はその残留磁気を保つ。磁石の残留磁気は調理容器の使用温度の範囲内で変化し、磁界測定センサがボウル部分の温度の形象を測定することを可能にする。
【００１２】
そのため、ボウル部分は、導線を介さない磁気結合によって磁界測定センサと協働する磁石によって形成される温度センサを備える。近接して配置された磁束センサによって温度に応じた残留磁気の変化を照会することができる。ボウル部分の製造工程には磁石を埋め込む作業が追加されるだけであり、そのような作業は容易に行うことができる。
【００１３】
それにより、きわめて経済的に実施することができる温度センサを装備した調理容器を得る。
【００１４】
有利には、磁石のキュリー温度は６００℃超である。
【００１５】
およそ６００℃という温度は、調理容器のボウル部分の製造工程における琺瑯の焼成温度（５６５℃）よりも高い。そのため、磁石は琺瑯引き作業よりも前にボウル部分に組み込むことができる。
【００１６】
有利には、磁石はＡｌＮｉＣｏ系、ＳｍＣｏ系またはフェライト系の中から選択される。
【００１７】
ＡｌＮｉＣｏ系磁石は、主としてアルミニウム（Ａｌ）、ニッケル（Ｎｉ）およびコバルト（Ｃｏ）を含み、さらに一部の変形形態として、鉄（Ｆｅ）、銅（Ｃｕ）および時としてチタン（Ｔｉ）など、その他の元素を少量含むことができる合金によって製造される磁石である。この種の磁石は一般に鋳造によって製造され、そのため、機械的応力に十分耐えることができるものであり、したがって鍛造作業によってボウル部分に取り付けることが可能である。この系統の磁石は温度５５０℃までの高温で動作することができる。そのため、ボウル部分に付設した磁石は、ボウル部分の内側および／または外側の各種表面処理ステップに、とりわけ、こびり付き防止被膜の取外しとおよそ４３０℃での焼成、またはシルクスクリーン印刷もしくはゾル−ゲル系セラミックの吹付けによる装飾と２５０℃前後の焼成温度に、耐えることができる。
【００１８】
ＳｍＣｏ系磁石は、サマリウム（Ｓｍ）とコバルト（Ｃｏ）とを含む合金で焼結によって製造される磁石である。この系統の磁石は温度３５０℃までで動作することができる。ＳｍＣｏ系の磁石は高い耐消磁性も有する。
【００１９】
フェライト系磁石は安価である。この系統の磁石は十分に高い温度で動作することが可能であり、調理容器の使用で遭遇する温度に対応することができる。
【００２０】
有利には、ボウル部分は底を有しており、磁石はその底の表面または内部に配設される。
【００２１】
そのため、調理容器内に入れた食物に最大限近接して容器のボウル部分の表面または内部に配設された磁石は、その食物の状態を表す温度を検出できることになる。
【００２２】
好ましくは、ボウル部分は側壁を有しており、磁石はその側壁の表面または内部に配設される。
【００２３】
それにより、容器の側壁の表面または内部に配設された磁石は、ボウル部分の周縁に配設された磁界測定センサに最大限近接することができることになり、磁界変化の測定値の取得の信頼性が高まる。
【００２４】
有利には、ボウル部分は３００℃未満のキュリー温度を有する少なくとも１つの強磁性材料要素を備え、前記要素は磁石の近傍に配設される。
【００２５】
残留磁気を有する磁石は、磁石から出る磁力線の集中器として使用されるキュリー点の低い強磁性材料要素を磁気的に分極する。このキュリー点の低い強磁性材料要素は、磁束を磁界測定センサの方向に案内して集中させることで検出信号を増大させるために利用することもできれば、反対に磁力線を磁石の方向に閉じることで遠くへ伝播するのを妨げるためにこのキュリー点の低い強磁性材料要素を利用することもできる。温度が上昇すると、キュリー点の低い強磁性材料要素の透磁率は低下し、そのキュリー点に至ったところでその要素内における磁力線の伝播および集中はなくなる。キュリー点の低い強磁性材料要素は、磁石と磁界測定センサとの間の磁束弁であると考えることができる。このような構成は、キュリー温度前後の温度閾値を信頼性をもって検出することを可能にする。
【００２６】
好ましくは、ボウル部分は、それぞれ異なるキュリー温度を有する２つの強磁性材料要素を備え、それぞれの前記要素は磁石の近傍に配設される。
【００２７】
このような構成は、２つの強磁性材料要素のキュリー温度あたりの２つの温度閾値を信頼性をもって検出することを可能にする。
【００２８】
有利には、強磁性材料要素はそれぞれ２つの部分を有し、そのそれぞれの部分は交互に積層される。
【００２９】
この交互配置は、いずれか一方の要素がそのキュリー温度に達したときに起こる強磁性と常磁性との間の突然の磁気相転移を滑らかにして、温度に対して穏やかな、より直線的なセンサの応答を得ることを可能にする。
【００３０】
有利には、強磁性材料要素はそれぞれ１２０℃のキュリー温度と２１０℃のキュリー温度を有する。
【００３１】
有利には、磁石は、強磁性材料要素が積層された部分の側方または上方に配設される。
【００３２】
有利には、磁石は２つの磁界測定センサと協働する。
【００３３】
このような構成では、２つの磁界測定センサを使った差分測定によって磁石の残留磁気の遠隔照会を改善することが可能となり、外部からの障害を最大限なくすことができる。こうした障害のもととなるのはとりわけ、一定で指向性のある地磁界、誘導コンロ式加熱プレートから発生するパルス状の電磁束、調理容器近傍の環境における金属製品の存在、磁束センサの温度のずれなど、調理容器を取り巻く電磁気−磁気環境である。
【００３４】
磁界測定センサのうちの１つは、センサの外部および内部からのすべての障害に感応する標準として定義され、検出器として定義される第２の磁界測定センサは、センサ外部および内部からのすべての障害にも同様に感応するが、ボウル部分に埋め込まれた磁石から出る磁束に感応する。
【００３５】
有利には、調理容器は、６００℃超のキュリー温度を有する強磁性材料要素であって、磁石の近傍に配設された第１の端部と、センサのうちの１つのセンサの下または２つのセンサの間に配設された第２の端部とを有する強磁性材料要素を備える。
【００３６】
この設計は、磁石および磁気弁から出る磁力線をセンサの方へ適切に導いて、測定ノイズに対する信号の比率を大幅に増大させることができる。たとえば、第２の端部をセンサのうちの１つのセンサの下に配設すると、そのセンサによって検出される信号を２倍にすることができ、外部からの電磁的障害に対するロバスト性を高めることができる。第２の端部を両センサの間に配設すると、有効信号が２倍に増幅されるようにノイズを取り除いた差分測定を得る。
【００３７】
有利には、調理容器はハンドルを備え、磁界測定センサはそのハンドル内に配設される。
【００３８】
そのため、磁界センサは、磁石が設置されているゾーンよりも低温のゾーンの方へと、磁石から離される。
【００３９】
好ましくは、ハンドルはボウル部分から取外し自在である。
【００４０】
ここで、ボウル部分から取外し自在なハンドルとは、工具を使用することなくボウル部分から取り外すことができる取付け手段をハンドルが備えているということを意味する。
【００４１】
磁石と磁束センサとの間が導線を介さずに結合されることにより、ボウル部分から取外し自在なハンドルを容易に実現することが可能となる。このような構成は、調理容器の整理整頓を容易することができるとともに、ボウル部分を食器洗い機にかける一方で、繊細な要素を含むハンドルについては食器洗い機に入れずに洗浄することを可能にする。
【００４２】
有利には、ハンドルは１本の長手方向軸と、磁石と協働する２つの磁界測定センサとを備え、２つのセンサは前記長手方向軸に沿って、または前記長手方向軸の両側に配設される。
【００４３】
磁界測定センサがハンドルの前記長手方向軸に沿って配設される場合は、センサはそれぞれ磁石から異なる距離に配置される。それにより、２つの磁界測定センサによる検出の非対称性が得られる。
【００４４】
しかし、誘導コンロ式調理プレートは、誘導コンロの中心の周りに円対称となる分布をもつ電磁界を発生させる。磁界測定センサがハンドルの長手方向軸の両側に配設される場合には、センサは同一円上に配置される。そのため、センサは等価の磁界を受け、測定することになる。その場合は、磁石をハンドルの軸の左または右に偏心させることで、２つの磁界測定センサの検出の非対称性がもたらされるようにする。
【００４５】
好ましくは、磁界測定センサは、電磁シールドを実現することができる金属ケースの中に配設される。
【００４６】
磁界測定センサを金属ケース内に配設することで、磁石からの磁束の連続的寄与に対してトランスペアレントでありながら、電磁界の周波数要素を排除することができる。
【００４７】
有利には、金属ケースは、厚さ２ミリメートル未満のアルミニウムまたは銅の薄板によって製作される。
【００４８】
このような設計を講じることにより、動作周波数が２７キロヘルツ前後である誘導コンロ式調理プレートの電磁界による影響をほぼ完全に排除することができる。
【００４９】
好ましくは、調理容器は、フライパン、片手鍋、ソテーパン、深鍋または圧力鍋である。
【００５０】
本発明は、何ら限定的でないものとして取り上げ、添付の図面によって図解した実施形態を検証することによってよりよく理解されよう。
【図面の簡単な説明】
【００５１】
【図１】本発明の具体的な一実施形態による調理容器の概略斜視図である。
【図２】加熱プレート上に載置された調理容器の図１のＩＩ−ＩＩ線による概略断面図である。
【図３】本発明の別の具体的な実施形態による調理容器の概略斜視図である。
【図４】本発明の別の具体的な実施形態による調理容器の概略斜視図である。
【図５】本発明の別の具体的な実施形態による調理容器の図１のＩＩ−ＩＩ線による概略部分断面図である。
【図６】本発明の別の具体的な実施形態による調理容器の図１のＩＩ−ＩＩ線による概略部分断面図である。
【発明を実施するための形態】
【００５２】
図１および２からわかるように、調理容器１は、底３および側壁４を有するボウル部分２を備える。ボウル部分２は、アルミニウムなどの非磁性材料から、円板の鍛造によって、または鋳造によって製作される。底３は、磁石１０を、好ましくは鍛造によって、付設するための厚さを有する。磁石１０は、ボウル部分２の温度に応じて変化して磁界の変化を引き起こす残留磁気を有する。調理容器１は、取付け手段（図示せず）によって側壁４に取り付けられる端部２１を有するハンドル２０を備える。ハンドル２０は、制御装置２５に接続された磁界測定センサ２２を備える。磁界測定センサ２２はボウル部分２に最大限近接して配置される。センサは、磁石１０から発する磁界の変化を測定して、制御装置２５で使用される電気信号の変化を生じさせ、それによってボウル部分２の温度を判定できるようにする。制御装置２５は特に表示装置２６を備えており、ボウル部分の温度を表すパラメータをユーザーに示すことができる。
【００５３】
磁界測定センサ２２は、線形応答のホール効果センサ、磁気誘導センサ、巨大磁気抵抗（ＧＭＲ）センサまたは異方性磁気抵抗（ＡＭＲ）センサの中から選択することができる。
【００５４】
図２からわかるように、調理容器１は、ガラスセラミックスプレート３１、加熱部３２、とりわけ加熱ポットまたはインダクタ、および制御部３３を備える、特に電気発熱抵抗型または誘導型の加熱プレート３０の上に載置される。ボウル部分２の底３は、調理容器１を加熱するために加熱装置３２のインダクタと協働するようにしたものなどの強磁性材料で製作された要素６を備える。強磁性材料で製作された要素６は、磁石１０を覆い、磁石と接するようにして付設されるプレートの形を取る。
【００５５】
要素６はキュリー点の低い強磁性材料によって製作される。すなわち、強磁性材料要素６は、たとえば２２０℃などという、あらかじめ定められたキュリー温度を有しており、強磁性材料の部位でそのキュリー点の温度に達すると、誘導加熱プレート３０が結合解除されるようにする。ここで、結合解除とは、加熱プレート３０が調理容器１の加熱出力を発生しなくなることを意味する。誘導加熱プレート３０とともに使用されるこうした調理容器１は、温度がキュリー温度とほぼ同じになるように調節された底３を得ることができる。実際、キュリー温度に達した強磁性材料はその磁気特性を失い、誘導加熱プレート３０は結合解除されて、調理容器１の底３に出力を発生しなくなる。すると今度は要素６の磁性材料の温度が低下していき、加熱プレート３０との結合が改めて可能となるのに十分な磁気特性を取り戻すところまで至る。そのため、キュリー温度によって決まる調理温度であって、食物の調理に適した調理温度で食物を調製することができる。
【００５６】
磁石１０を覆う要素６は、システムの検出感度を高めることを可能にする一方で、温度係数が摂氏１度につき０．０２％というＡｌＮｉＣｏ系の磁石や、温度係数が摂氏１度につき０．０４％というＳｍＣｏ系の磁石のような温度係数の小さい永久磁石１０の使用を可能にする、磁気回路構成を形成する。実際、調理容器のボウル部分の温度監視の用途においては、最高動作温度が５５０℃前後のＡｌＮｉＣｏ系か、または最高動作温度が３５０℃前後のＳｍＣｏ系の高温動作に適した磁石が優先される。
【００５７】
この要素６は、磁石１０から出る磁力線の集中器として使われる。そのため、キュリー温度より低い温度では、その要素６は磁束を磁界測定センサ２２の方向に案内して集中させることで検出信号を増やすが、温度が上昇してキュリー温度に近づくにつれて要素６の透磁率はそのキュリー点に至るまで低下し、その要素６における磁力線の伝播および集中が失われていく。キュリー点の低い強磁性材料要素６は、磁石１０と磁界測定センサ２２との間の磁束弁であると考えることができるものであり、キュリー温度を超えると、磁石１０とセンサ２２との間を通る磁束は切断される。
【００５８】
図示しない一変形形態では、ボウル部分２の底３は、長方形などの小板の形を取るキュリー点の低い強磁性材料で製作された要素を備えることができる。小板の第１の端部は磁石と接するように配設され、小板の第２の端部は磁界センサの方に向けられる。
【００５９】
図５に示した別の変形形態では、異なる低いキュリー点の強磁性材料で製作された２つの要素８、９が磁石１０の上方に配設される。磁石８は要素９のキュリー温度よりも低いキュリー温度を有する。２つの要素はそれぞれ薄片の形状を有する。要素８、９を備える磁石１０は、鍛造によりボウル部分２の底３に付設される。強磁性材料の板７は底３に付設され、磁石１０の下側を覆う。
【００６０】
この変形実施形態における動作は前述の変形実施形態と反対になる。すなわち、温度がキュリー温度を下回っているときは、要素８、９は磁石１０から出る磁力線を集中させ、板７内を磁界測定センサ２２の方へ通り抜ける磁束は非常に弱い。温度が２つのキュリー温度の間にあるときは、要素９だけが磁石１０から出る磁力線を集中させ、板７内を磁界測定センサ２２の方へ通り抜ける磁束が増大して第１の閾値を形成する。温度が要素９の高い方のキュリー温度に近づくと、要素８、９が磁石１０から出る磁力線を集中させることはなくなり、板７内を磁界測定センサ２２の方へ通り抜ける磁束が増大して第２の閾値を形成する。
【００６１】
このような構成は、強磁性材料の２つの要素８、９のキュリー温度前後にあるボウル部分２の底３の２つの温度閾値を信頼性をもって検出することを可能にする。
【００６２】
図３は、ハンドル２０が２つの磁界測定センサ２２、２２ａを備える第１の変形実施形態を示したものである。ハンドル２０は長手方向軸２８を有しており、２つの磁界測定センサ２２、２２ａはその長手方向軸２８に沿って配設される。磁石１０は、ボウル部分２の底３にハンドル２０の長手方向軸２８に沿って配設される。そのため、磁石１０から遠い方のセンサ２２ａは外部からの障害に感応する標準として使用され、磁石１０に近い方のセンサ２２は、同じく外部からの障害に感応するが、磁石１０から出される磁束にも感応する検出器として使用される。
【００６３】
図４は、ハンドルが２つの磁界測定センサ２２、２２ａをさらに備える第２の変形実施形態を示したものである。２つの磁界測定センサ２２、２２ａは、ハンドル２０の長手方向軸２８の両側に配設される。磁石１０は、２つの磁界測定センサ２２、２２ａの検出の非対称性が生じるようにハンドル２０の長手方向軸２８から値ｄだけ離してボウル部分２の底３の中に配設される。
【００６４】
図２からわかるように、磁界測定センサ２２は、電磁シールドを実現することができる金属ケース２７の中に配設される。金属ケース２７は、厚さ１ミリメートルのアルミニウムまたは銅の薄板によって製作される。
【００６５】
図２に示した一変形実施形態では、制御装置２５は情報、特に温度情報を加熱プレート３１の制御部３３との間で送信または受信するための送受信機２４を備えており、制御部３３の方も同様に送受信機３４を備えている。制御部３３は特に温度情報を処理し、それによって加熱部３２を制御する。
【００６６】
図６に示した別の変形実施形態では、異なる低いキュリー点を有する強磁性材料で製作された２つの要素８、９はそれぞれ２つの部分８ａ、８ｂ、９ａ、９ｂを備えており、部分８ａ、８ｂ、９ａ、９ｂは交互に積層されている。部分８ａ、８ｂ、９ａ、９ｂは磁石１０の側方に配設される。部分８ａ、８ｂは部分９ａ、９ｂのキュリー温度に満たないキュリー温度を有する。部分８ａ、８ｂ、９ａ、９ｂはそれぞれ薄片の形状を有する。部分８ａ、８ｂ、９ａ、９ｂを具備する磁石１０は、鍛造によりボウル部分２の底３に付設される。強磁性材料の板７は底３に付設され、磁石１０の下側、および部分８ａ、８ｂ、９ａ、９ｂの下側を覆う。
【００６７】
図６に示したこの変形実施形態では、調理容器１は、６００℃超のキュリー温度を有し、部分８ａ、８ｂ、９ａ、９ｂおよび磁石１０の近傍に配設された第１の端部４１と、センサ２２の下方に配設された第２の端部４２とを含む強磁性材料要素４０を備える。
【００６８】
図示しない別の変形形態では、第２の端部４２は２つのセンサ（２２、２２ａ）の間に配設される。
【００６９】
本発明が、もっぱら例としてのみ掲げて説明し、図示した実施形態だけにいささかも限定されるものでないことは言うまでもない。特に各要素の構成という観点からの変更や、等価の技術による置換えによる変更は、それによって本発明の保護領域から外れることなくなお可能である。
【００７０】
そのため、たとえば、一変形実施形態では、磁界測定センサはボウル部分の上に載る蓋の中に配設される。
【図１】
0006588311.tif 000002
【図２】
0006588311.tif 000003
【図３】
0006588311.tif 000004
【図４】
0006588311.tif 000005
【図５】
0006588311.tif 000006
【図６】
0006588311.tif 000007